(57)【特許請求の範囲】
【請求項１】
ベースフレームと、
長手方向中途部で第１の連結手段によって連結可能な２つのフレーム部に分割され上記ベースフレームに上下駆動機構によって上下駆動可能に設けられた上下フレームと、
この上下フレーム上に設けられた床板体とを具備し、
上記第１の連結手段は、一側が開放した挿入部が形成されているとともにこの挿入部に係止ピンが設けられ上記上下フレームの一方のフレーム部の端部に設けられた受け部材と、
上記挿入部に挿入されるとともに上記係止ピンに係合する係合溝が形成され他方のフレーム部材の端部に設けられた第１のフックおよびこの第１のフックに一端部が回動自在に連結され上記係止ピンに上記係合溝を係合させて一対のフレーム部を連結することで他端部が上記受け部材の内面に押圧されることで上記係止ピンを上記係合溝から抜出しないよう保持する係止爪と
から構成されていることを特徴とするベッド装置。
【請求項２】
上記第１の連結手段によって連結される２つのフレーム部の端部は、その連結状態が解除されるのを阻止する連結ピンによって連結されることを特徴とする請求項１記載のベッド装置。
【請求項３】
一方のフレーム部の端部に設けられた上記受け部材には、先端が上記受け部材の挿入部に挿入された他方のフレーム部に当接してこれら一対のフレーム部間のがたを除去するアジャスタねじが設けられていることを特徴とする請求項２記載のベッド装置。
【請求項４】
上記上下駆動機構は、上記ベースフレームの四隅部に設けられた連結部材に一端が回動自在に連結され他端が上記上下フレームに回動自在に連結されるアームと、
上記ベースフレームの幅方向において対応する一対のアームに両端を連結して設けられた一対の回転軸と、
一方の回転軸に一端が枢着され他端が他方の回転軸に枢着された連動杆と、
一方の回転軸を回転駆動して他方の回転軸を上記連動杆を介して連動させることで、上記アームを起伏させる駆動源とを具備し、
上記連動杆は、長手方向中途部で第２の連結手段によって連結可能な２つの杆部に分割されていることを特徴とする請求項１記載のベッド装置。
【請求項５】
上記第２の連結手段は、一側が開放した挿入部が形成されているとともにこの挿入部に係止ピンが設けられ一方の杆部の端部に設けられた受け部材と、
上記挿入部に挿入されるとともに上記係止ピンに係合する係合溝が形成され他方の杆部の端部に設けられた第２のフックと、
上記係合溝が上記係止ピンに係合した状態で一方の杆部と他方の杆部との連結状態を保持する保持手段と
を具備したことを特徴とする請求項４記載のベッド装置。
【請求項６】
上記床板体は、互いに回動自在に連結された複数の床部からなり、これら床部の一部は背上げ駆動機構によって起伏駆動されるとともに、そのうちの長手方向中央部分に位置する１つの床部は上記上下フレームに固定される固定床部になっていて、この固定床部は上記床板体を長手方向中途部において２つに分割する第１の固定床部と第２の固定床部とに分割されていることを特徴とする請求項１記載のベッド装置。
【発明の詳細な説明】
【０００１】
【発明の技術分野】
この発明は利用者が仰臥した床板体が上下駆動及び起伏駆動されるベッド装置に関する。
【０００２】
【従来の技術】
病人用のベッド装置においては、ベッドフレームの床板上に仰臥した患者を介護したり、診察する場合があり、介護する場合には介護者が介護し易い高さがあり、診察する場合には診察し易い高さがある。したがって、そのような場合、上記ベッドフレームの高さを調整できる構成のベッド装置が要求される。
【０００３】
高さ調整可能なベッド装置の構成は、通常ベースフレームを有し、このベースフレームに上下駆動機構によって上下駆動される上下フレーム（ベッドフレーム）が設けられる。この上下フレームには床板体が設けられ、この床板体上に載置されたマットレスに患者が仰臥するようになっている。
【０００４】
一方、体力が低下した患者が食事をする場合などに上半身を起こすのを支援することができるようにするため、床板体を、上記ベッドフレームの長手方向に対して複数の床板部に分割し、そのうちの利用者の上半身に対応する部分の床板部を駆動機構によって起伏駆動できる構成になっている。
【０００５】
したがって、上記床板部を起立方向に駆動すれば、上記床板体上にマットレスを介して仰臥した患者はほとんど体力を使うことなく上半身を起こすことができるようになっている。
【０００６】
このような構成のベッド装置においては、上下フレームを上下動させる構成であることや床板体を起伏駆動させる構成であるため、通常のベッド装置に比べて部品点数が非常に多くなってしまう。そのため、梱包状態における荷姿が大きくなるため、工場内での保管や工場からの出荷の際の取り扱いが不便であるということがあった。
【０００７】
とくに、上記構成のベッド装置では上下フレームが最も大きく、ついで床板体が大きいため、梱包時の荷姿は上記上下フレームの大きさによって制限されてしまうということがあった。
【０００８】
【発明が解決しようとする課題】
このように、ベッドフレームが上下駆動されるベッド装置においては、部品点数が多くなるため、梱包状態における荷姿を小さくすることが望まれているものの、その荷姿はベッド装置で最も大きな部品である上下フレームの大きさよりも小さくできないため、取り扱いが不便であるということがあった。
この発明は、上下フレームを分割可能な構造とすることで、梱包状態の荷姿を小さくできるようにしたベッド装置を提供することにある。
【０００９】
【課題を解決するための手段】
請求項１の発明は、ベースフレームと、
長手方向中途部で第１の連結手段によって連結可能な２つのフレーム部に分割され上記ベースフレームに上下駆動機構によって上下駆動可能に設けられた上下フレームと、
この上下フレーム上に設けられた床板体とを具備し、
上記第１の連結手段は、一側が開放した挿入部が形成されているとともにこの挿入部に係止ピンが設けられ上記上下フレームの一方のフレーム部の端部に設けられた受け部材と、
上記挿入部に挿入されるとともに上記係止ピンに係合する係合溝が形成され他方のフレーム部材の端部に設けられた第１のフックおよびこの第１のフックに一端部が回動自在に連結され上記係止ピンに上記係合溝を係合させて一対のフレーム部を連結することで他端部が上記受け部材の内面に押圧されることで上記係止ピンを上記係合溝から抜出しないよう保持する係止爪と
から構成されていることを特徴とする。
【００１１】
請求項２の発明は、請求項１の発明において、上記第１の連結手段によって連結される２つのフレーム部の端部は、その連結状態が解除されるのを阻止する連結ピンによって連結されることを特徴とする。
【００１２】
請求項３の発明は、請求項２の発明において、一方のフレーム部の端部に設けられた上記受け部材には、先端が上記受け部材の挿入部に挿入された他方のフレーム部に当接してこれら一対のフレーム部間のがたを除去するアジャスタねじが設けられていることを特徴とする。
【００１３】
請求項４の発明は、請求項１の発明において、上記上下駆動機構は、上記ベースフレームの四隅部に設けられた連結部材に一端が回動自在に連結され他端が上記上下フレームに回動自在に連結されるアームと、
上記ベースフレームの幅方向において対応する一対のアームに両端を連結して設けられた一対の回転軸と、
一方の回転軸に一端が枢着され他端が他方の回転軸に枢着された連動杆と、
一方の回転軸を回転駆動して他方の回転軸を上記連動杆を介して連動させることで、上記アームを起伏させる駆動源とを具備し、
上記連動杆は、長手方向中途部で第２の連結手段によって連結可能な２つの杆部に分割されていることを特徴とする。
【００１４】
請求項５の発明は、請求項４の発明において、上記第２の連結手段は、一側が開放した挿入部が形成されているとともにこの挿入部に係止ピンが設けられ一方の杆部の端部に設けられた受け部材と、
上記挿入部に挿入されるとともに上記係止ピンに係合する係合溝が形成され他方の杆部の端部に設けられた第２のフックと、
上記係合溝が上記係止ピンに係合した状態で一方の杆部と他方の杆部との連結状態を保持する保持手段と
を具備したことを特徴とする。
【００１５】
請求項６の発明は、請求項１の発明において、上記床板体は、互いに回動自在に連結された複数の床部からなり、これらと個部の一部は背上げ駆動機構によって起伏駆動されるとともに、そのうちの長手方向中央部分に位置する１つの床部は上記上下フレームに固定される固定床部になっていて、この固定床部は上記床板体を長手方向中途部において２つに分割する第１の固定床部と第２の固定床部とに分割されていることを特徴とする。
【００１６】
請求項１の発明によれば、上下フレームを長手方向中途部で第１の連結手段によって連結可能な２つのフレーム部に分割したから、梱包時には上下フレームを約半分の大きさにし、その梱包時の荷姿を小さくすることが可能となる。
【００１７】
また、請求項１の発明によれば、２つのフレーム部を連結する第１の連結手段を、係合溝を係止ピンに係合させてこれら２つのフレーム部を位置決めできるようにするとともに、係止ピンが係合溝に係合した状態を係止爪によって保持するようにしたから、２つのフレーム部を精度よく、しかも確実に結合することができる。
【００１８】
請求項２の発明によれば、連結された２つのフレーム部の端部を連結ピンによって連結したことで、これらフレーム部の連結状態が解除されるのを阻止することができる。
【００１９】
請求項３の発明によれば、アジャスタねじによって２つのフレーム部の連結状態のがたをなくすことができるから、これらフレーム部を精度よく連結することができる。
【００２０】
請求項４と請求項５の発明によれば、上下駆動機構の連動杆を第２の連結手段によって連結可能な２つの杆部に分割したことで、この上下駆動機構の梱包も小さな荷姿とすることが可能となる。
【００２１】
請求項６の発明によれば、複数の床部が連結された床板体を、上下フレームに固定される固定床部を第１の固定床部と第２の固定床部とに分割したことで、床板体が２つに分割されるから、この床板体を小さな荷姿で梱包することが可能となる。
【００２２】
【実施形態】
以下、この発明の一実施の形態を図面を参照して説明する。図１は起床式のベッド装置の分解斜視図であり、このベッド装置はベースフレーム１を備えている。このベースフレーム１はそれぞれ一対の長尺杆２と短尺杆３とを矩形枠状に配置し、これらの隣り合う端部を第１の連結部材４で連結して形成されている。上記長尺杆２と短尺杆３とは角筒状の部材が用いられている。
【００２３】
上記第１の連結部材４は、アルミニウムのダイキャストなどによって図１に示すように上記長尺杆２の端部が挿入される第１の挿入部５と、上記短尺杆３の端部が挿入される第２の挿入部６と、後述する上下駆動機構１１の回動駆動される第２のアーム１９ａ、１９ｂの端部を枢支する取り付け部７と、上記ベースフレーム１を走行自在かつ所定の位置で走行不能に保持できるストッパ付きのキャスタ８の取り付け軸８ａが嵌入固定される取付孔９とが一体成形されてなる。上記第１の挿入部５と第２の挿入部６はほぼ直角に配置され、それによって長尺杆２と短尺杆３とを矩形枠状に連結できるようになっている。なお、各挿入部５、６に挿入された長尺杆２と短尺杆３との端部は図示しないねじによって固定されるようになっている。
【００２４】
上記ベースフレーム１には上述した上下駆動機構１１が設けられる。この上下駆動機構１１は図１に示すように駆動源１２を有する。この駆動源１２には駆動軸１３が取り付けられ、この駆動軸１３は上記駆動源１２によって軸方向に進退駆動されるようになっている。
【００２５】
上記駆動軸１３の先端は連動杆１４の中途部に第１のブラケット１５を介して枢着されている。上記連動杆１４の一端と他端はそれぞれ回転軸１６ａ，１６ｂの中途部に設けられた第１のアーム１７に枢着されている。
【００２６】
一方の回転軸１６ａの中途部には、この回転軸１６ａの周方向に対して上記第１のアーム１７と所定の角度で第２のブラケット１８が設けられ、この第２のブラケット１８に上記駆動源１２が回動自在に取り付けられている。なお、他方の回転軸１６ｂの第１のアーム１７には上記連動杆１４の端部が連動部材２０を介して枢着されている。
【００２７】
一方の回転軸１６ａの両端部には第２のアーム１９ａの一端が固着され、他方の回転軸１６ｂの両端には第２のアーム１９ｂの中途部が固着されている。各第２のアーム１９ａ、１９ｂの他端には図３（ａ），（ｂ）に示すように支軸２１が設けられ、この支軸２１は上記第１の連結部材４に形成された取付部７の溝部７ａに挿入されて回転自在に支持されている。
【００２８】
上記取付部７にはストッパ２２が支軸２３によって回動自在に支持され、板バネ２４によって図３（ｂ）に矢印で示す方向へ付勢されている。このストッパ２２の先端部には係止部２２ａが形成されていて、ストッパ２２が板バネ２４によって付勢された状態において上記溝部７ａの開放端を閉塞するようになっている。
【００２９】
したがって、その状態では上記支軸２１が溝部７ａから外れないよう保持されており、上記ストッパ２２を上記板バネ２４の付勢力に抗して矢印と逆方向へ回動させれば、上記支軸２１を溝部７ａから外すことができる。つまり、アーム１９ａ，１９ｂは上記第１の連結部材４の取付部７に着脱自在に取り付けられている。
【００３０】
図２及び図４（ａ）に示すように、上記連結杆１４は長手方向中途部で第１の杆部１４１と第２の杆部１４２とに分割されている。図１と図２に示すように、第１の杆部１４１は一端が一方の回転軸１６ａに設けられた第１のアーム１７に枢着され他端には先端に開放した係合溝１４３ａを有するＣ字状の第２のフック１４３が取着されている。
【００３１】
上記第２の杆部１４２は、図４（ｂ）に示すように一端が上記連動部材２０に取り付けられ、他端には下面が開放し内部を挿入部１４４ｂとしたコ字状の受け部材１４４の一端部が固着されている。この受け部材１４４の中途部には図４（ａ）に示すように係止ピン１４５が幅方向に架設され、この係止ピン１４５に上記第２のフック１４３の係合溝１４３ａを係合させることで、一対の杆部１４１，１４２が位置決めされるようになっている。
【００３２】
第１の杆部１４１の先端部と受け部材１４４の他端部とには、一対の杆部１４１，１４２が位置決めされた状態において対応する通孔１４１ａ，１４４ａが穿設されている。これら通孔１４１ａ，１４４ａには保持手段としての連結ピン１４６が挿入される。この連結ピン１４６は一端に樹脂バンド１４７の一端が連結されている。この樹脂バンド１４７の他端には上記通孔１４１ａ，１４４ａを通された連結ピン１４６の他端に弾性的に係合する係合孔１４７ａが形成されている。
【００３３】
したがって、一対の杆部１４１，１４２は第２のフック１４３が係止ピン１４５に係合して位置決めされた状態で、連結ピン１４６によって連結状態が外れないよう結合保持される。つまり、上下駆動機構１１の連結杆１４は分割可能な２つの杆部１４１，１４２に分割されている。
【００３４】
上記第２の杆部１４２の一端が取り付けられた連動部材２０は、第１のアーム１７に着脱自在に取り付けられている。すなわち、上記連動部材２０には、図４（ａ），（ｂ）に示すように後端側に開放した係止溝１５１が形成されているとともに、図４（ｃ）に示すようにフック１５２の一端部が支軸１５３によって枢着され、他端部に鉤部１５４が形成されている。このフック１５２はばね１５５によって図４（ｂ）に矢印で示す方向に付勢されている。それによって、上記鉤部１５４が上記係止溝１５１を閉塞している。
【００３５】
鉤部１５４が係止溝１５１を閉塞した状態で、その係止溝１５１を第１のアーム１７の先端部に設けられた連結ピン１５６に係合させれば、上記連結ピン１５６がフック１５２をばね１５５の付勢力に抗して回動させて上記係止溝１５１内へ入り込み、鉤部１５４によって抜出不能に保持されることになる。
【００３６】
つまり、連結杆１４は２つの杆部１４１，１４２に分解できるとともに、第２の第２の杆部１４２は回転軸１６ｂからも分離できるようになっている。なお、第１の杆部１４１も第２の杆部１４２と同様、回転軸１６ａから分離できる構造としてもよい。
【００３７】
上記構成の上下駆動機構１１によれば、駆動源１２が作動して駆動軸１３が突出方向に駆動されると、連動杆１４が図１に矢印で示す方向に移動するから、それによって一対の回転軸１６ａ、１６ｂが同図に矢印で示す時計方向に回転する。回転軸１６ａ、１６ｂが回転すれば、その回転に上記第２のアーム１９ａ，１９ｂが連動するようになっている。
【００３８】
上記ベースフレーム１の上方には上記上下駆動機構１１によって上下駆動される上下フレーム３１が配置されている。この上下フレーム３１は上記ベースフレーム１と同様、２本の長尺杆３２と短尺杆３３とを矩形枠状に配置し、短尺杆３３の両端部に長尺杆３２の末端を固着して形成されている。
【００３９】
短尺杆３３の両端には取付け部材３４が設けられている。この取付け部材３４には第１の保持孔３５と第２の保持孔３５ａとが上下方向に貫通して形成されている。上下フレーム３１の長手方向一端側と他端側に位置するそれぞれ一対の第１の保持孔３５には図１０に示すヘッドボード柵３７とフットボード柵３８との下端部が挿入保持され、第２の保持孔３５ａには図示しないが、点滴用のビンを支えるための支持ロッドが支持されるようになっている。
【００４０】
図１に示すように、上記上下フレーム３１の長尺杆３２の長手方向両端部内面にはそれぞれ第３のブラケット４１が垂設されている。各第３のブラケット４１には図７に示すように通孔４１ａが穿設され、この通孔４１ａには押え板４２の一側面に突設された支軸４３が挿入される。この支軸４３は上記一方の回転軸１６ａの端部に形成された支持孔４４および他方の回転軸１６ｂの他端に設けられた管部材４６（図１に示す）の支持孔４７に挿入され、上記回転軸１６ａ、１６ｂを回転自在に支持している。
【００４１】
上記押え板４２は上記第３のブラケット４１にねじ４５によって固定される。なお、第３のブラケット４１の下端には接合されされた押え板４２の下端部に係合するＬ字状の係合片４１ｂが形成されている。
【００４２】
上記上下フレーム３１は図２に示すように、その一対の長尺杆３２が長手方向中途部で分断されて２つのフレーム部３１ａ，３１ｂに分割されている。これらフレーム部３１ａ，３１ｂは連結手段によって分解可能に連結されている。
【００４３】
すなわち、一方のフレーム部３１ａの端部、つまり分断された長尺杆３２の端部には図５（ａ）〜（ｃ）に示すように上面が開放し内部を挿入部１６１ｃとしたほぼＵ字状の受け部材１６１が一端部を固着して設けられている。この受け部材１６１の一端側には幅方向に沿って係止ピン１６０が架設されている。さらに、上記受け部材１６１の他端側には幅方向に貫通する第１の通孔１６１ａと第２の通孔１６１ｂが穿設されている。
【００４４】
他方のフレーム３１ｂの端部である、分断された長尺杆３２の端部には先端部に係合溝１６２ａが形成された第１のフック１６２が装着され、図６（ｄ）に示すように上記長尺杆３２の両側から螺合されたねじ１６３によって固定されている。
【００４５】
上記第１のフック１６２の先端部には図５（ｂ），（ｃ）に示すようにその先端面及び下面に開放した凹部１６４が形成され、この凹部１６４には一端部が上方に向かって屈曲した屈曲部１６５ａに形成された係止爪１６５の他端部がピン１６５ｂによって枢着されている。
【００４６】
さらに、上記第１のフック１６２が装着された長尺杆３２の端部には第１の通孔１６６と第２の通孔１６７とが幅方向に貫通して穿設されている。上記第１のフック１６２には、図６（ｃ）に示すように上記第１の通孔１６６と対応する部分に第１の連通孔１６２ｃが同径で穿設され、図６（ｂ）に示すように第２の通孔１６７と対応する部分にはこの第２の通孔１６７よりも小径な第２の連通孔１６２ｂが穿設されている。
【００４７】
上記第２の連通孔１６２ｂには一対の突起１６８がばね１６９によって上記第２の通孔１６７および１６１ｂから外部へ突出する方向に弾性的に付勢されて設けられている。
【００４８】
分割された一対の長尺杆３２、つまり一対のフレーム部３１ａ，３１ｂは以下のように連結される。まず、図５（ｂ）に示すように上記第１のフック１６２が設けられた長尺杆３２を斜めにして受け部材１６１の挿入部１６１ｃに挿入し、その第１のフック１６２の係合溝１６２ａを上記受け部材１６１に設けられた係止ピン１６０に係合させる。
【００４９】
ついで、第１のフック１６２が設けられた長尺杆３２を矢印で示す方向へ回動させる。それによって、上記第１のフック１６２に設けられた係止爪１６５の先端部の屈曲部１６５ａが受け部材１６１の内底面によって押圧されるから、この係止爪１６５が矢印方向へ回動する。
【００５０】
それによって、図５（ｃ）に示すように係止爪１６５の先端部の屈曲部１６５ａが係止ピン１６０に係合し、係止ピン１６０が第１のフック１６２の係合溝１６２ａ内で固定される。さらに、このとき図６（ｂ）に示すように上記第１のフック１６２の第２の連通孔１６２ｂに設けられた突起１６８が受け部材１６１の第２の通孔１６１ｂに弾性的に係合する。したがって、第１のフック１６２は受け部材１６１に対して回動不能かつその挿入部１６１ｃから抜出不能に保持されることになる。
【００５１】
このように、上記第１のフック１６２を回動させると、受け部材１６１の第１の通孔１６１ａに第１のフック１６２側の第１の通孔１６６が対向するから、ここに図６（ｃ）に示すように連結ピン１７１を挿入する。
【００５２】
上記連結ピン１７１は、その一端部に図５（ａ）に示すように樹脂製バンド１７２の一端部が連結され、他端部には係合孔１７３が形成されている。このバンド１７２の他端部は図６（ｃ）に示すように上記通孔１６１ａ，１６６に挿通された連結ピン１７１の他端部に係着されるようになっている。
【００５３】
図５（ａ）に示すように、上記樹脂製バンド１７２の中途部にはホルダ１７４の一端部がスライド自在に取着されている。このホルダ１７４の他端部には樹脂製円盤とねじとが一体化されたアジャスタねじ１７５が設けられている。
【００５４】
上記ホルダ１７４は、一端部が上記受け部材１６１の底面に設けられた第１のねじ孔１７６ａ（図６（ｃ）に示す）にねじ１７７（図６（ｃ）に示す）によって上記樹脂製バンド１７２の中途部とともに連結され、上記アジャスタねじ１７５は図６（ｂ）に示すように受け部材１６１の底面に設けられた第２のねじ孔１７６ｂに螺合される。
【００５５】
上記アジャスタねじ１７５を第２のねじ孔１７６ｂに捩じ込むことで、その先端が第１のフック１６２を装着した長尺杆３２の底面を押圧する。それによって、この長尺杆３２に形成された第１の通孔１６６の内周面がそこに通された連結ピン１７１に圧接し、さらに第２の連通孔１６２ｂに設けられた突起１６８が受け部材１６１に設けられた第２の通孔１６１ｂの内周面に圧接する。
【００５６】
したがって、受け部材１６１に対して第１のフック１６２が設けられた長尺杆３２の端部ががた付くことなく連結されることになる。つまり、上下フレーム３１の分割された一対のフレーム部３１ａ，３１ｂはがた付くことなく強固に連結されることになる。
【００５７】
上記上下フレーム３１には背上げ駆動機構５１が設けられている。この背上げ駆動機構５１は一側に駆動モータ５２が設けられた長尺なボックス５３を有する。このボックス５３の長手方向一端には第１の回転軸５４が設けられ、他端には第２の回転軸５５が設けられている。上記ボックス５３内には、上記駆動モータ５２の回転を上記第１の回転軸５４に伝達する動力伝達機構（図示せず）が内蔵されている。上記駆動モータ５２が作動することで、上記第１の回転軸５４は図１に矢印で示す反時計方向に回転されるようになっている。
【００５８】
上記第１の回転軸５４の両端部には一対の第１の起上アーム５６の一端が固着され、上記第２の回転軸５５の両端部には一対の第２の起上アーム５７の一端が固着されている。第１の起上アーム５６の他端部には２つのローラ５８が所定間隔で回転自在に設けられ、第２のアーム５７の他端には１つのローラ５８が回転自在に設けられている。上記第１の回転軸５４の回転は動力切換機構６１によって上記第２の回転軸５５に選択的に伝達できるようになっている。
【００５９】
上記第１の回転軸５４と第２の回転軸５５との両端部は上記上下フレーム３１の一対の長尺杆３２の中途部にそれぞれ２つずつ設けられた受け部７５に回転自在に支持されている。この受け部７５は図８（ａ）に示すサイドブラケット７６を有する。このサイドブラケット７６は板材を断面形状をほぼコ字状に曲成してなり、上下フレーム３１の内方へ膨出した膨出部７７を有する。この膨出部７７にはその上面と側面とに開放した係合部７８が形成されている。
【００６０】
上記係合部７８にはＵ字状の軸受部７９ａが形成されたブッシュ部材７９が係着されている。つまり、ブッシュ部材７９の裏面側には図８（ｂ）に示すように上記軸受部７９ａに沿って鍔８１が設けられ、この鍔８１を上記係合部７８の側面に係合させることで、上記ブッシュ部材７９が上記膨出部７７に取り付けられている。そして、ブッシュ部材７９の軸受部７９ａに上記第１、第２の回転軸５４、５５の端部がそれぞれ回転自在に係合保持される。
【００６１】
上記軸受部７９ａに保持された各回転軸５４、５５の端部は、上記膨出部７７の上面に弾性的に装着されるクリップ８２によって上記軸受部７９ａから外れるのが阻止されている。それによって、上記背上げ機構５１が上記上下フレーム３１に取り付けられている。
【００６２】
さらに、上記上下フレーム３１の一対の長尺杆３２の中途部には図１に示すように側柵（図示せず）を保持するための一対の保持部材８５が一端側を連結して設けられている。この保持部材８５の上記上下フレーム３１の外部に突出した他端部には保持孔９１が穿設され、この保持孔９１に上記側柵の下端部が挿入係止されるようになっている。
【００６３】
上記上下フレーム３１の上面には床板体９５が設けられている。この床板体９５は図１と図９に示すように上下フレーム３１の長手方向に沿って５つの床板部に分割されている。
【００６４】
つまり、長手方向中央部分は上記上下フレーム３１に固定される固定床板部９５ａとなっていて、この固定床板部９５ａの一端側には腰床板部９５ｂと背床板部９５ｃとが順次回動自在に連結されている。
【００６５】
上記固定床板部９５ａの他端側には第１の脚床板部９５ｄと第２の脚床板部９５ｅとが順次回動自在に連結されている。この床板体９５上には図１０に示すようにマットレスＭが載置される。
【００６６】
上記床板体９５は長手方向中途部で２つの部分９５Ｘ，９５Ｙに分割されている。つまり、床板体９５はその固定床部９５ａが第１の固定床部と第２の固定床部との２つに分割され、分割された一方に腰床部９５ｂ，背床部９５ｃが連結され、他方に第１の脚床部９５ｄ，第２の脚床部９５ｅ連結されている。分割された固定床部９５ａは上下フレーム３１の第１のフレーム部３１ａに固定される。
【００６７】
上記床板体９５の各床部９５ａ〜９５ｅには通気孔９８が形成されているとともに、上面には長手方向ほぼ全長にわたる凸条９９が幅方向に所定間隔で突設されている。
【００６８】
それによって、上記マットレスＭは床板体９５の長手方向に対しては滑り易く、幅方向に対しては滑りにくくなっているため、床部９５ｂ〜９５ｅを起上させると、マットレスＭは凸条９９に沿ってスライドする。そのため、床部９５ｂ〜９５ｅの起上を円滑に行うことができる。
【００６９】
なお、床板体９５の長手方向末端である、第２の脚床板部９５ｅの端部にはマットレスＭの一端に当接する板状のストッパ１００が設けられている。このストッパ１００は、背床板部９５ｃが起上方向に回動させられてマットレスＭが屈曲したときに、このマットレスＭが第２の脚床板部９５ｅ方向へスライドするのを阻止するようになっている。つまり、マットレスＭは背床板部９５ｃの方向へスライドするようになっている。
【００７０】
上記背上げ駆動機構５１の第１の起上アーム５６に設けられた一対のローラ５８は図９に示すように上記床板体９５の背床板部９５ｃの下面に設けられたレール５８ａに係合し、第２の起上アーム５６に設けられたローラ５８は第１の脚床板部９５ｄの下面に当接している。
【００７１】
上記背上げ駆動機構５１の第１の回転軸５４が回転駆動されて第１の起上アーム５６が上昇方向に駆動されると、図９に示すようにそのローラ５８に押圧されて背床板部９５ｃが回動上昇し、この背床板部９５ｃの回動に腰床板部９５ｂが連動する。それによって、マットレスＭ上に仰臥した利用者は上半身が起こされることになる。
【００７２】
上記第１の回転軸５４の回転に動力切換機構６１によって第２の回転軸５５を連動させると、第２の起上アーム５７が上昇方向に駆動されて第１の脚床板部９５ｄが回動上昇させられ、この回動に第２の脚床板部９５ｅが連動する。
【００７３】
上記第２の脚床板部９５ｅの下面には図９に示すように線材をコ字状に曲成した保持部材９７の中途部が回動自在に連結されている。この保持部材９７の両端部は上記上下フレーム３１の長尺杆３２に回動自在に連結されている。したがって、上記第１の脚床板部９５ｄの回動に連動した第２の脚床板部５９ｅは、第１の脚床板部９５ｄとでほぼへの字状になるよう上記保持部材９７によって保持される。
【００７４】
上記背上げ駆動機構５１には、上記第１の起上アーム５６によって回動上昇させられた背床板部９５ｃが急激に倒伏方向するのを阻止するダンパ機構を構成するガススプリング１０１が設けられている。
【００７５】
つまり、このガススプリング１０２は図１に示すように一端が上記第１の回転軸５４と第２の回転軸５５との間に設けられている。
そして、上記背床板部９５ｃが起上した状態で、上記第１の回転軸５４がなんらかの原因で自由に回転できる状態になると、上記背床板部９５ｃは利用者の荷重によって急激に倒伏方向へ回動しようとしたときに、この背床板部９５ｃが急激に倒伏するのを阻止するようになっている。
【００７６】
このような構成のベッド装置は、上述したようにベースフレーム１、上下駆動機構１１、上下フレーム３１、背上げ駆動機構５１及び床板体９５から構成されている。そして、これらの構成部品のうちでは上下フレーム３１がもっとも大きいが、この上下フレーム３１を２つのフレーム部３１ａ，３１ｂに連結可能に分割した。
【００７７】
また、上下フレーム３１の次に大きな部品である床板体９５も２つの部分９５Ｘ、９５Ｙに分割し、さらに上下駆動機構１１もその連結杆１４を第１の杆部１４１と第２の杆部１４２とに連結可能に分割することで、分解時には長さ寸法を半分にできるようにした。
【００７８】
そのため、工場からの出荷時などにベッド装置を梱包する場合、上下駆動機構１１、上下フレーム３１及び床板体９５を半分の大きさにすることができるから、その荷姿を十分に小さくして取り扱いや保管などの容易化を計ることが可能となる。
【００７９】
上記上下フレーム３１は単に２つのフレーム部３１ａ，３１ｂに分割しただけでなく、連結時にはこれら一対のフレーム部３１ａ，３１ｂをがた付くことなく確実に位置決めして連結できるようにしている。
【００８０】
つまり、一方のフレーム部３１ａに設けられた受け部材１６１の係止ピン１６０に対して他方のフレーム部３１ｂに設けられた第１のフック１６２を、この第１のフック１６２に設けられた係止爪１６５によって簡単な操作で確実に位置決めして連結でき、しかもその連結状態は他方のフレーム部３１ｂに設けられて受け部材１６１の第２の通孔１６１ｂに係合する突起１６８と、受け部材１６１、第１のフック１６２及びこの第１のフック１６２が設けられた長尺杆３２とにわたって貫通した連結ピン１７１によって固定することができる。
【００８１】
さらに、アジャスタねじ１７５により、受け部材１６１と第１のフック１６２が設けられた長尺杆３２との間のがたを除去することができる。つまり、一対のフレーム部材３１ａ，３１ｂは分解可能であるとともに、組立て時には強固にしかも確実に位置決めして連結固定することができる。
【００８２】
上記上下フレーム３１は、長手方向一端側と他端側とにそれぞれ上下駆動機構１１の第２のアーム１９ａ，１９ｂが連結される両端支持構造となり、しかも分割された長手方向中途部に床板体９５の固定床部９５ａが連結され、この固定床部９５ａを介して利用者の荷重が上下フレーム３１の長手方向中途部に加わることになる。
【００８３】
そのため、分割された一対のフレーム部材３１ａ，３１ｂの連結状態が強固でないと、上下フレーム３１は長手方向中途部から屈曲して逆への字状に変形する虞があるが、上述したような強固な連結構造としたことで、荷重を受けても屈曲したり、がた付くようなことがない。
【００８４】
さらに、上下駆動機構１１の連結杆１４の第１の杆部１４１と第２の杆部１４２との連結構造も、第１の連結杆部１４１に設けられた第２のフック１４３の係合溝１４３ａを他方の連結杆１４２に設けられた受け部材１４４の係止ピン１４５に係合させ、その状態でこれら両者を連結ピン１４６で連結固定するようにしたから、これら第１の杆部１４１と第２の杆部１４２とを、簡単に、しかも確実に連結固定することが可能である。
【００８５】
【発明の効果】
請求項１の発明によれば、上下フレームを長手方向中途部で第１の連結手段によって連結可能な２つのフレーム部に分割した。
そのため、梱包時には上下フレームを約半分の大きさにできるから、その梱包時の荷姿を小さくすることが可能となり、取り扱いや保管などに便利である。
【００８６】
また、上下フレームの分割された２つのフレーム部を連結する第１の連結手段を、第１のフックに形成された係合溝を受け部材に設けられた係止ピンに係合させてこれら２つのフレーム部を位置決めできるようにするとともに、係止ピンが係合溝に係合した状態を係止爪によって保持するようにした。
【００８７】
そのため、２つのフレーム部を上記係合溝と係止ピンとの係合によって精度よく位置決めでき、しかも上記係止爪によって上記係合溝と係止ピンとの係合状態を確実に維持することができる。
【００８８】
請求項２の発明によれば、連結された２つのフレーム部の端部を連結ピンによって連結固定したから、これらフレームの連結状態が解除されるのを阻止することができる。
【００８９】
請求項３の発明によれば、アジャスタねじによって２つのフレーム部の連結状態のがたをなくすことができるから、これらフレーム部を強固にしかも精度よく連結することができる。
【００９０】
請求項４と請求項５の発明によれば、上下駆動機構の連動杆を第２の連結手段によって連結可能な２つの杆部に分割したから、この上下駆動機構も小さく梱包することが可能となる。
【００９１】
請求項６の発明によれば、複数の床部が連結された床板体を、上下フレームに固定される固定床部の部分で２つに分割するようにしたから、この床板体を小さな荷姿で梱包することが可能となる。
【図面の簡単な説明】
【図１】この発明の一実施の形態の全体構成を示す分解斜視図。
【図２】同じく上下駆動機構、上下フレーム及び床板体を分割した状態を示す全体構成の分解斜視図。
【図３】（ａ）は同じくベースフレームの隅部に設けられる第１の連結部材の斜視図、（ｂ）は同じくその一部分の断面図。
【図４】同じく上下駆動機構の連結杆の分解斜視図。
【図５】（ａ）は同じく上下フレームの一対のフレーム部の連結構造の分解斜視図、（ｂ）と（ｃ）は同じく連結手順を示す説明図。
【図６】（ａ）は一対のフレーム部の連結部分の側面図、（ｂ）〜（ｆ）はそれぞれ図６（ａ）のＡ−Ａ〜Ｅ−Ｅ線に沿う断面図。
【図７】同じく上下駆動機構と上下フレームとの連結構造の分解斜視図。
【図８】（ａ）は同じく背上げ駆動機構の回転軸を上下フレームに取り付ける受け部の斜視図、（ｂ）は同じく回転軸を回転自在に支持するブッシュの背面図。
【図９】同じくベッド装置の側面図。
【符号の説明】
１…ベースフレーム
１１…上下駆動機構
１４…連動杆
１６ａ，１６ｂ…回転軸
３１…上下フレーム
３１ａ，３１ｂ…フレーム部
５１…背上げ駆動機構
９５…床板体
１４３…第２のフック
１４４…受け部材
１４５…係止ピン
１４６…連結ピン
１６２…第１のフック
１６２ａ…係合溝
１６５…係止爪
１７１…連結ピン
１７５…アジャスタねじ
【図１】
0003639725.tif 000002
【図２】
0003639725.tif 000003
【図３】
0003639725.tif 000004
【図４】
0003639725.tif 000005
【図５】
0003639725.tif 000006
【図６】
0003639725.tif 000007
【図７】
0003639725.tif 000008
【図８】
0003639725.tif 000009
【図９】
0003639725.tif 000010